(57)【特許請求の範囲】
【請求項１】
サーバから配信される本編映像及び広告映像を再生する端末であって、
一の本編映像の再生を複数の区切りで完了した度に、複数種類の広告をカタログ形式で紹介する広告紹介情報の再生を開始する広告紹介情報再生手段と、
ユーザによる広告の選択操作を受け付けた場合に、該選択操作を受け付けた広告に関連付けられた広告映像を、前記再生を完了した本編映像の次に再生する本編映像を再生する前に挿入して再生する広告挿入・再生手段とを備え、
前記広告紹介情報再生手段は、前記広告紹介情報を、前記再生を完了した本編映像と次に再生する本編映像の間の区切りにおいて、予め定めた時間ごとに切り換えて再生する、端末。
【請求項２】
請求項１に記載の端末であって、
前記広告紹介情報再生手段は、前記広告紹介情報の再生を開始してから一定時間の間に前記選択操作を受け付けない場合は、前記広告紹介情報の再生を終了する端末。
【請求項３】
本編映像の要求を端末から受け付けたことに応じて、該要求に対応する本編映像を、複数種類の広告を紹介する広告紹介情報とともに前記端末に配信する本編映像・広告紹介情報配信手段と、
広告映像の要求を前記端末から受け付けたことに応じて、該要求に対応する広告映像を前記端末に配信する広告映像配信手段とを備えるサーバであって、
前記本編映像・広告紹介情報配信手段は、前記端末において一の前記本編映像の再生を複数の区切りで完了した度に、前記複数種類の広告をカタログ形式で再生を開始するための広告紹介情報であって、ユーザからの選択を受け付け可能な広告紹介情報を前記端末に配信し、
前記広告映像配信手段は、前記広告映像の要求に対応し、かつ、前記端末で再生する広告映像であって、前記再生を完了した本編映像の次に再生する本編映像を再生する前に挿入して再生するための広告映像を前記端末に配信し、
前記本編映像・広告紹介情報配信手段が前記端末に配信する前記広告紹介情報は、前記端末において前記広告紹介情報を、前記再生を完了した本編映像と次に再生する本編映像の間の区切りにおいて、予め定めた時間ごとに応じて切り換えて再生するものである、サーバ。
【請求項４】
本編映像及び広告映像を配信するサーバと、このサーバから配信される本編映像及び広告映像を再生する端末とを備えるシステムであって、
前記サーバは、本編映像の要求を前記端末から受け付けたことに応じて、該要求に対応する本編映像を、複数種類の広告を紹介する広告紹介情報とともに前記端末に配信する本編映像・広告紹介情報配信手段を有し、
前記端末は、一の本編映像の再生が複数の区切りで完了した度に、前記複数種類の広告をカタログ形式で紹介する広告紹介情報の再生を開始する広告紹介情報再生手段と、
前記複数種類の広告のうち、ユーザが選択した広告の配信を前記サーバに要求する広告要求手段とを有し、
前記サーバは、前記広告要求手段により要求された広告に関連付けられた広告映像を前記端末に配信する広告映像配信手段をさらに有し、
前記端末は、前記広告映像配信手段により配信された広告映像を、前記再生を完了した本編映像の次に再生する本編映像を再生する前に挿入して再生する広告挿入・再生手段をさらに有し、
前記端末の前記広告紹介情報再生手段は、前記広告紹介情報を、前記再生を完了した本編映像と次に再生する本編映像の間の区切りにおいて、予め定めた時間ごとに切り換えて再生する、システム。
【請求項５】
サーバから配信される本編映像及び広告映像を端末で再生する方法であって、
前記端末が一の本編映像の再生を複数の区切りで完了した度に、前記端末が、複数種類の広告をカタログ形式で紹介する広告紹介情報の再生を開始する広告紹介情報再生工程と、
前記端末がユーザによる広告の選択操作を受け付けた場合に、前記端末が、該選択操作を受け付けた広告に関連付けられた広告映像を、前記再生を完了した本編映像の次に再生する本編映像を再生する前に挿入して再生する広告挿入・再生工程とを含み、
前記広告紹介情報再生工程は、前記広告紹介情報を、前記再生を完了した本編映像と次に再生する本編映像の間の区切りにおいて、予め定めた時間ごとに切り換えて再生する、方法。
【請求項６】
サーバから配信される本編映像及び広告映像を端末に再生させるためのプログラムであって、
前記端末が一の本編映像の再生を複数の区切りで完了した度に、複数種類の広告をカタログ形式で紹介する広告紹介情報の再生を開始する広告紹介情報再生工程と、
前記端末がユーザによる広告の選択操作を受け付けた場合に、該選択操作を受け付けた広告に関連付けられた広告映像を、前記再生を完了した本編映像の次に再生する本編映像を再生する前に挿入して再生する広告挿入・再生工程とを前記端末に実行させ、
前記広告紹介情報再生工程は、前記広告紹介情報を、前記再生を完了した本編映像と次に再生する本編映像の間の区切りにおいて、予め定めた時間ごとに切り換えて再生するためのプログラム。
【発明の詳細な説明】
【技術分野】
【０００１】
本発明は、広告映像を配信する端末、サーバ、システム、方法及びプログラムに関する。
【背景技術】
【０００２】
近年では、通信ネットワーク、有線ケーブル又は放送電波等を利用して、映画やスポーツ番組等をサーバから端末に配信するサービスが行われている。このようなサービスにおいては、一般的に、番組の本編映像の途中で広告映像が再生される。一般的に、広告映像は、番組の視聴者の嗜好に関わらず一律であり、視聴者の嗜好に合わない広告映像が再生されることもある。そのため、サーバから配信する広告の効果が薄い場合があった。
【０００３】
このような問題を解決するため、ユーザ情報の入力を受け付け、このユーザ情報に対応する広告映像を端末に提供するサーバが知られている（例えば、特許文献１参照）。このサーバによると、ユーザの嗜好に合った広告映像を配信し得る。
【先行技術文献】
【特許文献】
【０００４】
【特許文献１】特開２００９−７１５１９号公報
【発明の概要】
【発明が解決しようとする課題】
【０００５】
しかし、このようなサーバであっても、配信される広告映像がユーザの嗜好と確実に合致するとはいえない。また、配信される広告映像がユーザの嗜好と合致しない場合であっても、一定時間は必ず広告映像を視聴しなければならない。
【０００６】
本発明は、ユーザの嗜好に、より確実に合致する広告映像を配信する端末、サーバ、システム、方法及びプログラムを提供することを目的とする。
【課題を解決するための手段】
【０００７】
本発明では、以下のような解決手段を提供する。
【０００８】
（１）  サーバから配信される本編映像及び広告映像を再生する端末であって、一の本編映像の再生を複数の区切りで完了した度に、複数種類の広告をカタログ形式で紹介する広告紹介情報の再生を開始する広告紹介情報再生手段と、ユーザによる広告の選択操作を受け付けた場合に、該選択操作を受け付けた広告に関連付けられた広告映像を、前記再生を完了した本編映像の次に再生する本編映像を再生する前に挿入して再生する広告挿入・再生手段とを備え、前記広告紹介情報再生手段は、前記広告紹介情報を、前記再生を完了した本編映像と次に再生する本編映像の間の区切りにおいて、予め定めた時間ごとに切り換えて再生する、端末。
【０００９】
（１）に記載の発明によれば、端末は、本編映像の再生が完了すると、複数種類の広告をカタログ形式で紹介する広告紹介情報の再生を開始し、その後、ユーザによる選択操作を受け付けた広告に関連付けられた広告映像だけを、再生を完了した本編映像の次に再生する本編映像を再生する前に挿入して再生する。これにより、ユーザにとって視聴したい広告の選択肢を増やすことで、広告提供者の利益を確保しつつ、ユーザの嗜好に、より確実に合致した広告映像だけを再生可能な端末を提供できる。
【００１０】
（２）  （１）に記載の端末であって、前記広告紹介情報再生手段は、前記広告紹介情報の再生を開始してから一定時間の間に前記選択操作を受け付けない場合は、前記広告紹介情報の再生を終了する端末。
【００１１】
（２）に記載の発明によれば、ユーザの嗜好と合致する広告映像がない場合、端末は、一定時間が経過すると、広告映像を再生することなく次の本編映像を再生するので、ユーザのストレスを最小限に抑えることができる。
【００１２】
（３）  本編映像の要求を端末から受け付けたことに応じて、該要求に対応する本編映像を、複数種類の広告を紹介する広告紹介情報とともに前記端末に配信する本編映像・広告紹介情報配信手段と、広告映像の要求を前記端末から受け付けたことに応じて、該要求に対応する広告映像を前記端末に配信する広告映像配信手段とを備えるサーバであって、前記本編映像・広告紹介情報配信手段は、前記端末において一の前記本編映像の再生を複数の区切りで完了した度に、前記複数種類の広告をカタログ形式で再生を開始するための広告紹介情報であって、ユーザからの選択を受け付け可能な広告紹介情報を前記端末に配信し、前記広告映像配信手段は、前記広告映像の要求に対応し、かつ、前記端末で再生する広告映像であって、前記再生を完了した本編映像の次に再生する本編映像を再生する前に挿入して再生するための広告映像を前記端末に配信し、前記本編映像・広告紹介情報配信手段が前記端末に配信する前記広告紹介情報は、前記端末において前記広告紹介情報を、前記再生を完了した本編映像と次に再生する本編映像の間の区切りにおいて、予め定めた時間ごとに応じて切り換えて再生するものである、サーバ。
【００１３】
（４）  本編映像及び広告映像を配信するサーバと、このサーバから配信される本編映像及び広告映像を再生する端末とを備えるシステムであって、前記サーバは、本編映像の要求を前記端末から受け付けたことに応じて、該要求に対応する本編映像を、複数種類の広告を紹介する広告紹介情報とともに前記端末に配信する本編映像・広告紹介情報配信手段を有し、前記端末は、一の本編映像の再生が複数の区切りで完了した度に、前記複数種類の広告をカタログ形式で紹介する広告紹介情報の再生を開始する広告紹介情報再生手段と、前記複数種類の広告のうち、ユーザが選択した広告の配信を前記サーバに要求する広告要求手段とを有し、前記サーバは、前記広告要求手段により要求された広告に関連付けられた広告映像を前記端末に配信する広告映像配信手段をさらに有し、前記端末は、前記広告映像配信手段により配信された広告映像を、前記再生を完了した本編映像の次に再生する本編映像を再生する前に挿入して再生する広告挿入・再生手段をさらに有し、前記端末の前記広告紹介情報再生手段は、前記広告紹介情報を、前記再生を完了した本編映像と次に再生する本編映像の間の区切りにおいて、予め定めた時間ごとに切り換えて再生する、システム。
【００１４】
（５）  サーバから配信される本編映像及び広告映像を端末で再生する方法であって、前記端末が一の本編映像の再生を複数の区切りで完了した度に、前記端末が、複数種類の広告をカタログ形式で紹介する広告紹介情報の再生を開始する広告紹介情報再生工程と、前記端末がユーザによる広告の選択操作を受け付けた場合に、前記端末が、該選択操作を受け付けた広告に関連付けられた広告映像を、前記再生を完了した本編映像の次に再生する本編映像を再生する前に挿入して再生する広告挿入・再生工程とを含み、前記広告紹介情報再生工程は、前記広告紹介情報を、前記再生を完了した本編映像と次に再生する本編映像の間の区切りにおいて、予め定めた時間ごとに切り換えて再生する、方法。
【００１５】
（６）  サーバから配信される本編映像及び広告映像を端末に再生させるためのプログラムであって、前記端末が一の本編映像の再生を複数の区切りで完了した度に、複数種類の広告をカタログ形式で紹介する広告紹介情報の再生を開始する広告紹介情報再生工程と、前記端末がユーザによる広告の選択操作を受け付けた場合に、該選択操作を受け付けた広告に関連付けられた広告映像を、前記再生を完了した本編映像の次に再生する本編映像を再生する前に挿入して再生する広告挿入・再生工程とを前記端末に実行させ、前記広告紹介情報再生工程は、前記広告紹介情報を、前記再生を完了した本編映像と次に再生する本編映像の間の区切りにおいて、予め定めた時間ごとに切り換えて再生するためのプログラム。
【００１６】
（３）に記載のサーバによれば、当該サーバに係る発明を実施することにより、（１）と同様の効果が期待できる。（４）に記載のシステムによれば、当該システムに係る発明を実施することにより、（１）と同様の効果が期待できる。（５）に記載の方法によれば、当該方法に係る発明を実施することにより、（１）と同様の効果が期待できる。また、（６）記載のプログラムによれば、当該プログラムに係る発明を実施することにより、（１）と同様の効果が期待できる。
【発明の効果】
【００１７】
本発明によれば、ユーザにとって視聴したい広告の選択肢を増やすことで、広告提供者の利益を確保しつつ、ユーザの嗜好に、より確実に合致した広告映像だけを配信する端末、サーバ、システム、方法及びプログラムを提供できる。
【図面の簡単な説明】
【００１８】
【図１】本実施形態に係るシステム１を説明するための全体構成を示す図である。
【図２】本実施形態に係る本編映像データベース２１を示す図である。
【図３】本実施形態に係る広告紹介情報データベース２２を示す図である。
【図４】本実施形態に係る広告映像データベース２３を示す図である。
【図５】本実施形態に係るシステム１のフローチャートである。
【図６】図５に続くフローチャートである。
【図７】図６に続くフローチャートである。
【図８】本実施形態に係るシステム１、サーバ２、端末３、方法及びプログラムを実施したときの端末３の画面４０での表示例を示す図である。
【図９】図８に続く図である。
【図１０】図９に続く図である。
【図１１】図１０に続く図である。
【図１２】図１１に続く図である。
【発明を実施するための形態】
【００１９】
以下、本発明の実施形態について図を参照しながら説明する。
【００２０】
［全体構成］
図１は、本実施形態に係るシステム１、サーバ２及び端末３を説明するための全体構成を示す図である。システム１は、映画やスポーツ番組その他の番組についての本編映像及び広告映像を配信するサーバ２と、このサーバ２と通信ネットワーク、有線ケーブル又は放送電波等により接続され、サーバ２から配信される本編映像及び広告映像を再生する端末３とを備える。端末３は、番組を視聴できる装置であって、サーバ２との間で情報を送受信できる装置であれば、種類を問うものではない。例えば、端末３は、パーソナルコンピュータであってもよいし、サーバ２との間で情報を送受信する機能を有したテレビ受像機であってもよい。また、端末は、番組再生機能を有した携帯電話機、ＰＤＡその他の携帯端末であってもよい。
【００２１】
まず、サーバ２の構成について説明する。サーバ２は、制御部１０と、記憶部２０とを備える。制御部１０は、サーバ２に係る各機能を統括的に制御する部分であり、端末３から本編映像の要求を受け付けたことに応じて、該要求に対応する本編映像を広告紹介情報とともに端末３に配信する本編映像・広告紹介情報配信部１１を備える。そして、記憶部２０は、本編映像のデータがあらかじめ記憶された本編映像データベース２１と、広告紹介情報のデータがあらかじめ記憶された広告紹介情報データベース２２とを備える。これら本編映像・広告紹介情報配信部１１と、本編映像データベース２１及び広告紹介情報データベース２２とは、本編映像・広告紹介情報配信手段として機能する。
【００２２】
本編映像データベース２１は、本編映像のデータをあらかじめ記憶したデータベースであり、図２に例示される。本編映像データベース２１は、本編映像の大分類を識別するための「本編映像番号（大分類）」フィールドと、本編映像の大分類の内容を示す「本編映像（大分類）」フィールドと、本編映像の小分類を識別するための「本編映像番号（小分類）」フィールドと、本編映像の小分類の内容を示す「本編映像（小分類）」フィールドとを有する。
【００２３】
大分類は、本編映像を番組ごとに分けたものであり、本編映像１，２，３・・・が各々１つの番組を構成し、これら本編映像１，２，３・・・を識別するために本編映像番号（大分類）「１」，「２」，「３」・・・を設けている。小分類は、１つの番組を区切りごとに分けたものであり、例えば、本編映像１は、本編映像１１，１２，１３・・・により構成され、これら本編映像１１，１２，１３・・・を識別するために本編映像番号（小分類）「１」，「２」，「３」・・・を設けている。
【００２４】
広告紹介情報データベース２２は、広告紹介情報のデータをあらかじめ記憶したデータベースであり、図３に例示される。広告紹介情報は、本編映像の区切りごと、すなわち、本編映像の小分類と小分類との間又は本編映像の大分類と大分類との間に複数種類の広告をカタログ形式で紹介するためのものである。カタログ形式とは、複数種類の広告を一群にまとめて、１回又は複数回に分けて一覧形式で、或いはスライドショー形式等の逐次形式で紹介し、ユーザが任意に広告を選択できる形式をいう。
【００２５】
広告紹介情報データベース２２は、上記した「本編映像番号（大分類）」フィールドと、広告紹介情報を識別するための「広告紹介情報番号」フィールドと、端末３の表示画面での表示位置を示す「表示位置」フィールドと、この表示位置で再生する広告紹介映像の内容を示す「広告紹介映像」フィールドと、この広告紹介映像に対応する広告映像を識別するための「広告映像番号」フィールドとを有する。なお、本実施形態において、広告紹介情報データベース２２は、本編映像番号（大分類）をキーの一部として有する例を示したが、これに限られず、本編映像番号（大分類）とは独立したキー構成としてもよい。
【００２６】
広告紹介情報番号は、端末３の表示画面における一回の再生で表示する広告紹介映像の一群を識別するものである。なお、当該一群の広告紹介情報は、対応する本編映像番号（大分類）の内容に関連するものを適宜選択したり、配信するユーザの属性に関連するものを適宜選択したりして決定してももよい。これにより、サーバ２は、本編映像の内容に関連する広告紹介情報や、本編映像を視聴すると思われるユーザの属性（性別、年齢、趣味等）に合わせた広告紹介情報を配信することができる。したがって、サーバ２は、ユーザの嗜好にさらに確実に合致した広告映像だけを配信でき得る。
【００２７】
なお、本実施形態のように、広告紹介情報番号は、一の本編映像番号（大分類）に対し、異なるものを対応付けてもよいが、上述のように本編映像の内容や視聴するユーザの属性に応じて関連の深いものを複数回対応付けてもよい。このようにすることで、端末３は、ユーザが選択する可能性の高い広告紹介情報を一の本編映像の再生において複数回再生することができる。また、一の本編映像の複数の区切りにおいて、それ以前のユーザの選択に応じて対応付ける広告紹介情報番号を切り換えてもよい。このようにすることで、端末３では、一の本編映像の同一の区切りであっても、それ以前のユーザの広告関連情報の選択により異なる広告紹介映像を再生することができる。
【００２８】
表示位置は、端末３の表示画面での表示位置を示すものである。本実施形態では、ユーザが複数の広告紹介映像を一目で視聴できるようにするため、端末３の表示画面を３行×３列の９マスに分割し、上からＡ行、Ｂ行、Ｃ行とし、左から１列、２列、３列としている。例えば、表示位置「Ｂ２」は、端末３の表示画面を３行×３列に分割した９マスのうち、上から２行目で左から２列目のマスを示す。なお、本実施形態では、端末３の表示画面を９マスに分割し、９種類の広告紹介映像をユーザが一度に視聴できるようにしているが、これに限られない。一回の広告紹介情報の再生において端末３が複数の広告紹介情報を再生可能な方式であれば、例えばスライドショー形式等の逐次形式で再生するものなど様々な方式が適用可能である。また、マスの数、並べ方、形状等が異なる様々な方式が、一回の再生で複数の広告紹介情報を再生可能な範囲、及び、ユーザが任意の広告を選択できる範囲で、選択可能である。
【００２９】
広告紹介映像は、広告の内容を紹介するための映像であり、広告映像を要約するものであってもよいし、広告映像と同一であってもよい。また、広告紹介映像は、動画であってもよいし、静止画であってもよい。本実施形態では、本編映像番号（大分類）と、広告紹介情報番号と、表示位置との組合せによって、常に異なる広告紹介映像になるものを例としているが、これに限られるものではない。例えば、上述のように、広告紹介映像１と、広告紹介映像１０とを同一にする等、本編映像番号（大分類）と、広告紹介情報番号と、表示位置との組合せによっては、同一の広告紹介映像になる場合を設けてもよい。
【００３０】
図１に戻り、制御部１０は、さらに、端末３から送信された広告の要求を受け付けたことに応じて、該要求に対応する広告映像を端末３に配信する広告映像配信部１２を備える。そして、記憶部２０は、広告映像のデータがあらかじめ記憶された広告映像データベース２３を備える。これら広告映像配信部１２と、広告映像データベース２３とは、広告映像配信手段として機能する。
【００３１】
サーバ２の説明に続いて、端末３の構成について説明する。端末３では、本編映像・広告紹介情報配信部１１から本編映像及び広告紹介情報が配信されると、本編映像の区切りごとに、広告紹介情報として複数の広告紹介映像が再生される。ユーザは、複数の広告紹介映像の中からより詳しい内容を知りたい広告、或いは視聴してみたいと思った広告を選択し、端末３は、その選択操作を受け付けて、当該選択操作を受け付けた広告紹介映像に対応する広告の要求をサーバ２に送信する。広告映像配信部１２は、この要求を受け付けたことに応じて、該要求に対応する広告映像であって、再生を完了した本編映像の次に再生する本編映像を再生する前に挿入して再生するための広告映像を端末３に配信する。なお、当該広告の要求は、端末３がユーザによる選択操作を受け付ける度に行ってもよいがこれに限られず、本編映像を再生中に、次に再生する広告紹介情報に対応する全ての広告映像の要求を行ってもよい。
【００３２】
広告映像データベース２３は、広告映像のデータをあらかじめ記憶したデータベースであり、図４に例示される。広告映像データベース２３は、広告映像を識別するための「広告映像番号」フィールドと、広告映像の内容を示す「広告映像」フィールドとを有する。
【００３３】
サーバ２の構成に続き、端末３の構成について説明する。端末３は、制御部３０を備え、制御部３０は、本編映像（大分類）を要求する本編映像要求部３１を備える。本編映像要求部３１は、本編映像要求手段として機能する。
【００３４】
本編映像要求部３１は、１つの番組についての本編映像だけを要求できるものであってもよいし、複数の番組についての本編映像を同時に要求できるものであってもよい。また、本編映像要求部３１は、ユーザの選択操作によって特定された本編映像を要求するものであってもよいし、ユーザの選択操作にかかわらず、チャンネルが合わせられたことに応じて、そのチャンネルに対応した本編映像を要求するものであってもよい。
【００３５】
また、制御部３０は、本編映像・広告紹介情報配信部１１から本編映像及び広告紹介情報が配信されたことに応じて、本編映像番号（小分類）の「１」から順に、本編映像番号（小分類）に対応する本編映像（小分類）の再生を開始する本編映像再生部３２と、本編映像（小分類）の再生を完了したことに応じて、複数種類の広告をカタログ形式で紹介する広告紹介情報の再生を開始する広告紹介情報再生部３３とを備える。また、制御部３０は、複数種類の広告のうち、ユーザが選択した広告の配信をサーバ２に要求する広告要求部３４と、この要求に応じて広告映像配信部１２から配信された広告映像を、本編映像再生部３２で再生を完了した本編映像（小分類）の次に再生する本編映像（小分類又は大分類）を再生する前に挿入して再生する広告挿入・再生部３５とをさらに備える。本編映像再生部３２は、本編映像再生手段として機能し、広告紹介情報再生部３３は、広告紹介情報再生手段として機能する。また、広告要求部３４は、広告要求手段として機能し、広告挿入・再生部３５は、広告挿入・再生手段として機能する。
【００３６】
本実施形態では、本編映像の区切りごとに異なる広告紹介映像を再生するため、広告紹介情報再生部３３は、本編映像（小分類）の区切りごとに広告紹介情報番号を切り換える広告紹介情報番号切換部（図示せず）を有し、本編映像（小分類）の再生を完了したことに応じて、その切り換えられた広告紹介情報番号に対応する広告紹介情報の再生を開始する。なお、本実施形態とは異なるが、同じ区切りであっても、一定時間ごと（例えば、１５秒ごと）又はユーザの選択により異なる広告紹介映像を再生するために、広告紹介情報番号切換部が、同じ区切りであっても、当該一定時間ごと又はユーザの選択により広告紹介情報番号を切り換えるようにしてもよい。
【００３７】
そして、本実施形態では、ユーザのストレスを最小限に抑えるため、広告紹介情報再生部３３は、広告紹介情報の再生を開始してから一定時間（例えば、６０秒）の間に、広告要求部３４が広告の選択操作を受け付けない場合は、広告紹介情報の再生を終了し、広告挿入・再生部３５が広告映像を再生することなく、本編映像再生部３２が次の本編映像（小分類又は大分類）の再生を開始する。
【００３８】
［本実施形態のハードウェア及びソフトウェアの構成］
本実施形態のハードウェア及びソフトウェアの構成について説明する。サーバ２及び端末３のハードウェアには、制御装置（制御部）としてのＣＰＵの他、記憶装置（記憶部）、通信装置（通信部）、表示装置（表示部）及び入力装置（入力部）が含まれる。記憶装置（記憶部）としては、例えば、メモリ（ＲＡＭ、ＲＯＭ等）、ハードディスクドライブ（ＨＤＤ）又は光ディスク（ＣＤ、ＤＶＤ等）ドライブ等が挙げられる。通信装置（通信部）としては、例えば、各種有線又は無線インターフェース装置等が挙げられる。表示装置（表示部）としては、例えば、液晶ディスプレイ又はプラズマディスプレイ等の各種ディスプレイが挙げられる。入力装置（入力部）としては、例えば、キーボード、ポインティング・デバイス（マウス等）又はリモコン装置等が挙げられる。
【００３９】
サーバ２及び端末３のソフトウェアには、上記ハードウェアを制御するプログラムやデータが含まれる。プログラムやデータは、記憶装置（記憶部）により記憶され、制御装置（制御部）により適宜実行、参照される。また、コンピュータ・プログラムやデータは、電磁的方法により配布することも可能であり、ＣＤ−ＲＯＭ等のコンピュータ可読媒体に記録して配布することも可能である。
【００４０】
［フローチャート］
図５〜図７は、本実施形態に係るシステム１のフローチャートである。
【００４１】
図５のステップＳ１では、本編映像要求部３１は、本編映像（大分類）を要求する。ステップＳ２では、本編映像・広告紹介情報配信部１１は、本編映像要求部３１からの要求を受け付けたことに応じて、該要求に対応する本編映像を広告紹介情報とともに端末３に配信する。本編映像は、本編映像データベース２１を参照して抽出される。例えば、本編映像要求部３１が本編映像１を要求した場合、本編映像・広告紹介情報配信部１１は、本編映像データベース２１を参照し、本編映像１を端末３に配信する。また、広告紹介情報は、広告紹介情報データベース２２を参照して抽出される。例えば、本編映像要求部３１が本編映像１を要求した場合、本編映像・広告紹介情報配信部１１は、広告紹介情報データベース２２を参照し、本編映像番号（大分類）「１」に対応した広告紹介情報、すなわち、広告紹介情報番号「１」，「２」，・・・に関する情報と、それぞれの広告紹介情報番号を構成する表示位置、広告紹介映像及び対応する広告映像番号の情報とを端末３に配信する。
【００４２】
ステップＳ３では、本編映像再生部３２は、本編映像番号（小分類）を「１」にセットする。ステップＳ４では、広告紹介情報再生部３３の広告紹介情報番号切換部（図示せず）は、広告紹介情報番号を「１」にセットする。ステップＳ５では、本編映像再生部３２は、ステップＳ３の処理でセットした本編映像番号（小分類）に対応する本編映像の再生を開始する。例えば、本編映像要求部３１が本編映像１を要求し、本編映像・広告紹介情報配信部１１から本編映像１及びこの本編映像１に対応する広告紹介情報が配信された場合、本編映像再生部３２は、ステップＳ３の処理でセットした本編映像番号（小分類）「１」に対応する本編映像１１の再生を開始する。
【００４３】
ステップＳ６では、広告紹介情報再生部３３は、本編映像再生部３２が本編映像（小分類）の再生を完了したことに応じて、ステップＳ４の処理でセットした広告紹介情報番号に対応する広告紹介情報の再生を開始する。例えば、ステップＳ４の処理で広告紹介情報番号切換部が広告紹介情報番号を「１」にセットし、その後、本編映像再生部３２が本編映像１１を再生していた場合、広告紹介情報再生部３３は、この本編映像１１の再生を完了したことに応じて、ステップＳ４の処理でセットした広告紹介情報番号「１」に対応する広告紹介情報のカタログ形式での再生を開始する。この場合、広告紹介情報再生部３３は、表示画面を３行×３列に分割した９マスのうち、Ａ行の１列目から順に（最上段の左から順に）、広告紹介映像１，２，３を再生し、Ｂ行の１列目から順に（中段の左から順に）、広告紹介映像４，５，６を再生し、Ｃ行の１列目から順に（下段の左から順に）、広告紹介映像７，８，９を再生する。
【００４４】
ステップＳ７では、制御部３０は、広告紹介情報の再生時間を計時するためのタイマ（図示せず）による計時を開始する。
【００４５】
図６のステップＳ８では、制御部３０は、タイマによる計時の完了を確認する。具体的には、制御部３０は、タイマが一定時間（例えば、６０秒）を計時したことを確認する。この判別がＹＥＳのときは、制御部３０は、処理をステップＳ９に移し、ＮＯのときは、制御部３０は、ステップＳ８の処理を繰り返す。広告要求部３４が広告の配信を要求しても一定時間の経過を待つことにより、広告要求部３４は、一定時間の間であれば、複数の広告の配信を要求できる。なお、複数の広告の配信の要求のための処理方式はこれに限られず、広告紹介情報再生部３３が、一定時間で再生を完了する広告紹介情報を再生し、当該再生時間中にユーザからの選択操作を受け付けた広告紹介映像に対応する広告映像を全てサーバ２に要求してもよい。
【００４６】
ステップＳ９では、広告要求部３４は、一定時間の間にユーザによる選択操作があったか否かを判別する。この判別がＹＥＳのときは、広告要求部３４は、処理をステップＳ１０に移し、ＮＯのときは、広告要求部３４は、処理を図７のステップＳ１４に移す。
【００４７】
ステップＳ１０では、広告要求部３４は、広告紹介情報再生部３３が再生する複数種類の広告紹介映像のうち、ユーザが選択した広告紹介映像に対応する広告の配信をサーバ２に要求する。ステップＳ１１では、広告映像配信部１２は、広告要求部３４から送信された広告の要求を受け付けたことに応じて、該要求に対応する広告映像を端末３に配信する。広告映像は、広告映像データベース２３を参照して抽出される。例えば、本編映像再生部３２が本編映像１１の再生を完了し、広告紹介情報再生部３３が広告紹介情報番号「１」に対応する広告紹介情報（本実施形態では、広告紹介映像１〜９）をカタログ形式で再生している間にユーザが広告紹介映像３を選択して広告要求部３４が広告紹介映像３に対応する広告の配信をサーバ２に要求した場合、広告映像配信部１２は、該要求に対応する広告映像３を端末３に配信する。
【００４８】
ステップＳ１２では、広告挿入・再生部３５は、広告映像の再生を開始する。この処理では、広告挿入・再生部３５は、制御部３０がタイマによる計時の完了を確認したことに応じて、広告映像配信部１２から配信された広告映像を、本編映像再生部３２で再生を完了した本編映像（小分類）の次に再生する本編映像（小分類又は大分類）を再生する前に挿入して再生する。例えば、広告映像配信部１２が広告映像３を端末３に配信した場合、広告挿入・再生部３５は、制御部３０がタイマによる計時の完了を確認したことに応じて、この広告映像３を、本編映像再生部３２で再生を完了した本編映像１１の次に再生する本編映像１２を再生する前に挿入して再生する。
【００４９】
ステップＳ１３では、制御部３０は、広告映像の再生の完了を確認し、図７のステップＳ１４に移る。
【００５０】
図７のステップＳ１４では、本編映像再生部３２は、本編映像番号（小分類）を１加算し、その加算した値をセットする。例えば、本編映像番号（小分類）が「１」であった場合、本編映像再生部３２は、本編映像番号（小分類）「１」に１加算し、その加算した値である「２」をセットする。なお、図示は省略するが、本編映像番号（小分類）を加算できないときは、１つのまとまりとしての本編映像（大分類）が完了したことになるので、次に再生する本編映像（大分類）がある場合は、その本編映像（大分類）に対応する本編映像番号（大分類）をセットして、図５のステップＳ３に移る。一方、次に再生する本編映像（大分類）がない場合は、制御部３０は、番組の再生を終了する。
【００５１】
ステップＳ１５では、広告紹介情報番号切換部（図示せず）は、広告紹介情報番号を１加算し、その加算した値をセットする。例えば、広告紹介情報番号が「１」であった場合、広告紹介情報番号切換部は、広告紹介情報番号「１」に１加算し、その加算した値である「２」をセットする。なお、図示は省略するが、広告紹介情報番号を加算できないときは、広告紹介情報番号に「１」をセットする。
【００５２】
ステップＳ１６では、本編映像再生部３２は、ステップＳ１３の処理でセットした本編映像番号（小分類）に対応する本編映像の再生を開始する。例えば、ステップＳ１３の処理でセットした本編映像番号（小分類）が「２」である場合、本編映像再生部３２は、この本編映像番号（小分類）「２」に対応する本編映像１２の再生を開始する。
【００５３】
ステップＳ１７では、本編映像再生部３２は、本編映像の再生を完了したことを確認する。ステップＳ１８では、本編映像再生部３２は、配信された全ての本編映像の再生を完了したか否かを判別する。この判別がＹＥＳのときは、本編映像再生部３２は、処理をステップＳ１９に移し、ＮＯのときは、本編映像再生部３２は、本フローチャートによる処理を終了する。
【００５４】
ステップＳ１９では、広告紹介情報再生部３３は、ステップＳ１５の処理でセットした広告紹介情報番号に対応する広告紹介情報の再生を開始する。例えば、ステップＳ１５の処理で広告紹介情報番号切換部が広告紹介情報番号を「２」にセットし、その後、本編映像再生部３２が本編映像１２を再生していた場合、広告紹介情報再生部３３は、この本編映像１２の再生を完了したことに応じて、ステップＳ１４の処理でセットした広告紹介情報番号「２」に対応する広告紹介情報のカタログ形式での再生を開始する。この場合、広告紹介情報再生部３３は、表示画面を３行×３列に分割した９マスのうち、Ａ行の１列目から順に（最上段の左から順に）、広告紹介映像１０，１１，１２を再生し、Ｂ行の１列目から順に（中段の左から順に）、広告紹介映像１３，１４，１５を再生し、Ｃ行の１列目から順に（下段の左から順に）、広告紹介映像１６，１７，１８を再生する。なお、広告紹介映像の再生方式はこれに限られず、３行×３列に分割した９マス全ての広告紹介映像の再生を（付随する音声を除いて）同時に並行して行ってもよい。
【００５５】
ステップＳ２０では、制御部３０は、広告紹介情報の再生時間を計時するためのタイマ（図示せず）による計時を開始し、図６のステップＳ８に移る。
【００５６】
［本実施形態に係るシステム１の実施例］
図８〜図１２は、端末３がパーソナルコンピュータである場合に、本実施形態に係るシステム１、サーバ２、端末３、方法及びプログラムを実施したときの端末３の画面４０での表示例を示す図である。
【００５７】
図８は、ユーザの選択操作により本編映像要求部３１から本編映像・広告紹介情報配信部１１に対して本編映像（大分類）を要求するための映像の一例を示す図であり、図９は、広告紹介情報配信部１１から配信された本編映像の一例を示す図である。図１０は、本編映像とともに広告紹介情報配信部１１から配信された広告紹介情報の一例を示す図であり、図１１は、この広告紹介情報を参照してユーザが広告の選択操作を行い、この選択操作を広告要求部３４が受け付けた場合の当該広告に関連付けられた広告映像の一例を示す図である。図１２は、図９において再生を完了した本編映像の次に再生する本編映像を示す図である。
【００５８】
以下では、図８〜図１２について詳細に説明する。
【００５９】
まず、図８について説明する。図８は、本編映像（大分類）を要求するための映像の一例を示す図である。画面４０には、「本編映像要求サイト」という文字が表示され、この文字の下方には、上から順に「本編映像１」、「本編映像２」、「本編映像３」、「本編映像４」、「本編映像５」という文字が要求ボタン４１ａ〜４１ｅとともに表示されている。また、画面４０には、操作の対象を指し示すためのカーソル４２が表示されている。ユーザは、端末３のマウス（図示せず）を用いてカーソル４２をいずれかの要求ボタン４１ａ〜４１ｅにまで移動させ、当該マウスをクリックする。そうすると、本編映像要求部３１は、本編映像・広告紹介情報配信部１１に対し、選択した要求ボタン４１ａ〜４１ｅに対応する本編映像（大分類）を要求する。図８の例では、ユーザは、マウスを用いてカーソル４２を要求ボタン４１ａにまで移動させている。そのため、当該マウスをクリックすると、本編映像要求部３１は、本編映像・広告紹介情報配信部１１に対し、要求ボタン４１ａに対応する本編映像１を要求する。
【００６０】
なお、本実施形態では、端末３がパーソナルコンピュータなので、要求ボタン４１ａ〜４１ｅの選択装置をマウスとしているが、これに限られるものではない。端末３がテレビ受像機であれば、選択装置をリモコンとしてもよいし、端末３の種類にかかわらず、タッチパネルで要求ボタン４１ａ〜４１ｅの選択できるようにしてもよい。
【００６１】
次に、図９について説明する。図９は、図８に続く映像であって、広告紹介情報配信部１１から配信された本編映像の一例を示す図である。本編映像・広告紹介情報配信部１１から本編映像１が配信されると、本編映像再生部３２は、まず本編映像番号（小分類）１に対応する本編映像１１から再生する。図９は、この本編映像１１の一例を示したものである。画面４０には、本編映像１１として、司会者４３とゲスト４４とが対談する様子が表示されている。
【００６２】
次に、図１０について説明する。図１０は、図９に続く映像であって、本編映像１とともに広告紹介情報配信部１１から配信された広告紹介情報の一例を示す図である。画面４０は、３行×３列の９マスに分割され、左上段のマスから右に向けて、ボールとグローブ、ラーメン、カメラが選択ボタン４５ａ〜４５ｃとともに表示されている。そして、左中段のマスから右に向けて、市街地を走る車、高原、犬が選択ボタン４５ｄ〜４５ｆとともに表示されている。そして、左下段のマスから右に向けて、住宅、エアコン、オーディオが選択ボタン４５ｇ〜４５ｉとともに表示されている。そして、９つのマスの下には、「残り１８秒」という文字が表示されている。図８の例では、ユーザは、残り１８秒の時点において、カーソル４２を選択ボタン４５ａにまで移動させている。そのため、当該マウスをクリックすると、広告要求部３４は、広告映像配信部１２に対し、選択ボタン４５ａに対応する広告映像、すなわち、野球に関連した広告映像を要求する。
【００６３】
次に、図１１について説明する。図１１は、図１０に示す図でユーザによって選択された広告に関連付けられた広告映像の一例を示す図である。広告映像配信部１２から広告映像が配信されると、広告挿入・再生部３５は、その広告映像を、再生を完了した本編映像１１の次に再生する本編映像１２を再生する前に挿入して再生する。図１１は、この広告映像の一例を示したものである。画面４０には、広告映像として、野球場において、バッター４６が打席に立ち、その左方でキャッチャー４７がミットを構える様子が表示されている。
【００６４】
次に、図１２について説明する。図１２は、図１１に続く映像であって、図９において再生を完了した本編映像１１の次に再生する本編映像１２を示す図である。広告挿入・再生部３５による広告映像の再生が完了すると、本編映像再生部３２は、本編映像１１に続く本編映像１２を再生する。図１２は、この本編映像１２の一例を示したものである。画面４０には、本編映像１２として、テレビカメラがゲスト４４に焦点を当てている様子が表示されている。
【００６５】
本実施例によると、端末３は、本編映像１１の再生が完了すると、複数種類の広告をカタログ形式で紹介する広告紹介情報であって、広告紹介情報番号「１」に対応した９種類の広告を紹介した映像の再生を開始し、その後、ユーザによる選択操作を受け付けた、野球に関連した広告映像だけを、本編映像１１の次に再生する本編映像１２を再生する前に挿入して再生する。これにより、ユーザにとって視聴したい広告の選択肢を増やすことで、広告提供者の利益を確保しつつ、ユーザの嗜好に、より確実に合致した広告映像だけを再生可能なシステム１、サーバ２、端末３、方法及びプログラムを提供できる。
【００６６】
また、本実施例では、端末３は、９種類の広告を紹介した映像の再生を開始してから一定時間（例えば、６０秒）の間にユーザの選択操作を受け付けない場合は、この映像の再生を終了する。これにより、ユーザの嗜好と合致する広告映像がない場合、端末３は、一定時間が経過すると、広告映像を再生することなく次の本編映像１２を再生するので、ユーザのストレスを最小限に抑えることができる。
【００６７】
なお、本実施形態に記載された効果は、本発明から生じる最も好適な効果を列挙したに過ぎず、本発明による効果は、本実施形態に記載されたものに限定されるものではない。
【符号の説明】
【００６８】
１  システム
２  サーバ
３  端末
１０  サーバの制御部
２０  サーバの記憶部
３０  端末の制御部
３３  広告紹介情報再生部
３５  広告挿入・再生部
【図１】
0005486343.tif 000002
【図２】
0005486343.tif 000003
【図３】
0005486343.tif 000004
【図４】
0005486343.tif 000005
【図５】
0005486343.tif 000006
【図６】
0005486343.tif 000007
【図７】
0005486343.tif 000008
【図８】
0005486343.tif 000009
【図９】
0005486343.tif 000010
【図１０】
0005486343.tif 000011
【図１１】
0005486343.tif 000012
【図１２】
0005486343.tif 000013